(57)【特許請求の範囲】
【請求項１】
上部に開口部が設けられた容器本体と、
前記開口部から前記容器本体の内側に嵌め込まれた状態で前記開口部を閉塞する内蓋と、
前記内蓋に取り付けられた状態で前記容器本体と前記内蓋との間を密閉するシール部材と、
前記開口部を外側から覆った状態で前記容器本体に螺合により装着される外蓋と、
前記容器本体内の圧力を調整する圧力調整部とを備え、
前記圧力調整部は、前記内蓋の底面部に設けられた取付孔に着脱自在に取り付けられると共に、前記容器本体内の圧力変化に伴って弾性変形する弁体と、前記内蓋の底面中央部に設けられた中心孔に着脱自在に取り付けられると共に、空気孔が設けられた栓体と、前記外蓋に設けられると共に、前記栓体に当接されることによって前記空気孔を閉塞する当接部とを有し、
前記弁体と前記栓体とが弾性部材により一体に形成されていることを特徴とする蓋付き容器。
【請求項２】
前記内蓋の底面部に設けられた複数の前記取付孔にそれぞれ前記弁体が着脱自在に取り付けていることを特徴とする請求項１に記載の蓋付き容器。
【請求項３】
前記容器本体は、真空断熱構造を有することを特徴とする請求項１又は２に記載の蓋付き容器。
【発明の詳細な説明】
【技術分野】
【０００１】
本発明は、蓋付き容器に関する。
【背景技術】
【０００２】
例えば、真空断熱構造を有する容器本体によって保温・保冷機能を持たせた蓋付き容器がある（例えば、特許文献１，２を参照。）。このような蓋付き容器では、内蓋及び外蓋を用いて容器本体に設けられた開口部を密閉する構造が採用されている。
【０００３】
具体的に、蓋付き容器は、上部に開口部が設けられた容器本体と、開口部から容器本体の内側に嵌め込まれた状態で開口部を閉塞する内蓋と、内蓋に取り付けられた状態で容器本体と内蓋との間を密閉する止水パッキン（シール部材）と、開口部を外側から覆った状態で容器本体に螺合により装着される外蓋とを備えている。また、外蓋は、容器本体に装着されたときに内蓋と当接されることによって、内蓋の上方側への移動を規制している。
【先行技術文献】
【特許文献】
【０００４】
【特許文献１】特開２００９−２０１８５７号公報
【特許文献２】特開２０１３−２２７０３４号公報
【発明の概要】
【発明が解決しようとする課題】
【０００５】
しかしながら、従来の蓋付き容器では、例えば容器本体の内部に高温の内容物を入れたときに、内蓋及び外蓋により密閉された容器本体内の圧力が上昇する（陽圧となる）のに伴って、内蓋が外蓋に押し付けられた状態となる。このとき、容器本体と外蓋との間で螺合による締結力が増すことによって、外蓋を取り外す方向に回しづらくなることがあった。また、外蓋を取り外した際に、容器本体内の圧力が開放されることによって、内蓋が上方側に飛び出すことがあった。
【０００６】
本発明は、このような従来の事情に鑑みて提案されたものであり、容器本体内の圧力が上昇した場合でも、内蓋及び外蓋を容易に且つ安全に取り外すことができる蓋付き容器を提供することを目的とする。
【課題を解決するための手段】
【０００７】
上記目的を達成するために、本発明は以下の手段を提供する。
〔１〕  上部に開口部が設けられた容器本体と、
前記開口部から前記容器本体の内側に嵌め込まれた状態で前記開口部を閉塞する内蓋と、
前記内蓋に取り付けられた状態で前記容器本体と前記内蓋との間を密閉するシール部材と、
前記開口部を外側から覆った状態で前記容器本体に螺合により装着される外蓋と、
前記容器本体内の圧力を調整する圧力調整部とを備え、
前記圧力調整部は、前記内蓋の底面部に設けられた取付孔に着脱自在に取り付けられると共に、前記容器本体内の圧力変化に伴って弾性変形する弁体と、前記内蓋の底面中央部に設けられた中心孔に着脱自在に取り付けられると共に、空気孔が設けられた栓体と、前記外蓋に設けられると共に、前記栓体に当接されることによって前記空気孔を閉塞する当接部を有し、
前記弁体と前記栓体とが弾性部材により一体に形成されていることを特徴とする蓋付き容器。
〔２〕  前記内蓋の底面部に設けられた複数の前記取付孔にそれぞれ前記弁体が着脱自在に取り付けていることを特徴とする前記〔１〕に記載の蓋付き容器。
〔３〕  前記容器本体は、真空断熱構造を有することを特徴とする前記〔１〕又は〔２〕に記載の蓋付き容器。
【０００８】
以上のように、本発明によれば、容器本体内の圧力が上昇した場合でも、内蓋及び外蓋を容易に且つ安全に取り外すことができる蓋付き容器を提供することが可能である。
【図面の簡単な説明】
【０００９】
【図１】本発明の一実施形態に係る蓋付き容器の構成を示す分解斜視図である。
【図２】図１に示す蓋付き容器の側面図である。
【図３】図２中に示す線分Ａ−Ａ’による蓋付き容器の断面図である。
【発明を実施するための形態】
【００１０】
以下、本発明の実施形態について、図面を参照して詳細に説明する。
本発明の一実施形態として、例えば図１、図２及び図３に示す蓋付き容器１について説明する。なお、図１は、蓋付き容器１の構成を示す分解斜視図である。図２は、図１に示す蓋付き容器１の側面図である。図３は、図２中に示す線分Ａ−Ａ’による蓋付き容器１の断面図である。
【００１１】
蓋付き容器１は、図１、図２及び図３に示すように、真空断熱構造を有する容器本体２と、容器本体２の上部に設けられた開口部２ａを密閉する内蓋３及び外蓋４とを備えている。なお、蓋付き容器１の外観形状については、特に限定されるものではない。例えば、本実施形態の蓋付き容器１は、全体として略円筒状の外観形状を有している。
【００１２】
容器本体２は、例えばステンレス鋼等からなる有底筒状の外容器５及び内容器６を有し、外容器５の内側に内容器６を収容した状態で互いの口元部を接合した二重構造の容器により構成されている。また、外容器５と内容器６との間には、真空断熱層７が設けられている。真空断熱層７は、例えば、高真空（１０００万分の１気圧以下）に減圧（真空引き）されたチャンバー内で、外容器５の底面中央部に設けられた脱気孔（図示せず。）を塞ぐことによって形成することができる。なお、容器本体２の外周面には、塗装や印刷等が施されていてもよい。
【００１３】
容器本体２は、略円形状の底面部２ｂと、底面部２ｂの外周から略円筒状に起立した胴部２ｃと、胴部２ｃの上部側において縮径された略円筒状の口頸部２ｄとを有している。口頸部２ｄの上端部は、容器本体２の口元部２ｅとして円形状の開口部２ａを形成している。また、口頸部２ｄと胴部２ｃとの間の内周面には、リング状の段差部８が全周に亘って突出して設けられている。
【００１４】
内蓋３は、例えばポリプロピレン等の耐熱性樹脂からなる。内蓋３は、略円形状の底面部３ａと、底面部３ａの外周部から略円筒状に起立した胴部３ｂと、胴部３ｂの上端部から拡径方向に突出した上側フランジ部３ｃとを有している。内蓋３は、容器本体２の開口部２ａから口頸部２ｄの内側に嵌め込まれた状態で、容器本体２の口元部２ｅに上側フランジ部３ｃが当接されることによって、容器本体２の開口部２ａを閉塞する。
【００１５】
内蓋３には、止水パッキン９が着脱自在に取り付けられている。止水パッキン９は、容器本体２と内蓋３との間を密閉するリング状のシール部材であり、例えばシリコーンゴム等の耐熱性を有するゴムやエラストマーなどの弾性部材からなる。
【００１６】
内蓋３の底面部３ａには、胴部３ｂよりも縮径された縮径部３ｄと、縮径部３ｄの下端部から拡径方向に突出した下側フランジ部３ｅとが設けられている。止水パッキン９の内周部は、内蓋３の縮径部３ｄ及び下側フランジ部３ｅの外周形状と略一致した内周形状を有している。本実施形態では、内蓋３の底面部３ａと縮径部３ｄと下側フランジ部３ｅとの間に形成されたリング状の凹部３ｆに、止水パッキン９の内周部から突出したリング状の凸部９ａが嵌合されることによって、内蓋３に対して止水パッキン９が取り付けられている。また、止水パッキン９は、それ自体を弾性変形させる（引っ張り伸ばす）ことによって、凹部３ｆに対する凸部９ａの嵌合を解除し、内蓋３から取り外すことも可能である。これにより、内蓋３と止水パッキン９とをそれぞれ別々に洗浄することができ、内蓋３と止水パッキン９との間を衛生的に保つことができる。
【００１７】
止水パッキン９の外周部には、内蓋３が容器本体２（口頸部２ｄ）の内側に嵌め込まれた際に、段差部８に接触する第１のシール部９ｂ及び第２のシール部９ｃが設けられている。第１のシール部９ｂは、止水パッキン９の外周面から拡径方向に突出して設けられている。第２のシール部９ｃは、止水パッキン９の下端部から下方に向かって突出されると共に、外側に向かって湾曲した形状を有している。
【００１８】
内蓋３に取り付けられた止水パッキン９は、内蓋３が容器本体２（口頸部２ｄ）の内側に嵌め込まれた際に、第１のシール部９ｂ及び第２のシール部９ｃが弾性変形しながら、段差部８に全周に亘って密着した状態となる。これにより、容器本体２と内蓋３との間を止水パッキン９により密閉することができる。
【００１９】
外蓋４は、例えばポリプロピレン等の耐熱性樹脂からなる。外蓋４は、略円形状の天面部４ａと、天面部４ａの外周部から立ち下がる略円筒状の外筒部４ｂと、外筒部４ｂの内側に外筒部４ｂと同心円状に位置する有底円筒状の内筒部４ｃとを有している。
【００２０】
外蓋４は、容器本体２の開口部２ａを外側から覆った状態で、容器本体２の口頸部２ｄに螺合により装着される。このため、外筒部４ｂの内周面には、雌ネジ部１０が設けられている。一方、口頸部２ｄの外周面には、雌ネジ部１０と螺合される雄ネジ部１１が設けられている。
【００２１】
内筒部４ｃは、天面部４ａ及び外筒部４ｂを形成する部材とは別の部材により形成され、天面部４ａの下面に溶着等により取り付けられている。なお、内筒部４ｃは、天面部４ａ及び外筒部４ｂを形成する部材とは別の部材により形成されたものに限らず、外筒部４ｂを形成する部材と一体に形成することも可能である。この場合、天面部４ａを外筒部４ｂ及び内筒部４ｃを形成する部材とは別の部材により形成すればよい。また、外蓋４の内部は、断熱層として、空気や断熱材を配置した構成とすることも可能である。
【００２２】
ところで、本実施形態の蓋付き容器１では、内蓋３に容器本体２内の圧力を調整するための圧力調整部２０が設けられている。圧力調整部２０は、弁体２１を有している。弁体２１は、例えばシリコーンゴム等の耐熱性を有するゴムやエラストマーなどの弾性体からなる。弁体２１は、内蓋３の底面部３ａに設けられた円形状の取付孔２２に嵌合した状態で取り付けられている。
【００２３】
具体的に、弁体２１は、取付孔２２の内周形状と略一致した外周形状を有している。本実施形態では、弁体２１の外周部に設けられたリング状の凹部２１ａに、取付孔２２の内周部から突出したリング状の凸部２２ａが嵌合されることによって、取付孔２２に対して弁体２１が取り付けられている。取付孔２２は、内蓋３の底面部３ａの中央部から偏倚した位置に設けられている。
【００２４】
弁体２１は、その上面側が凹んだ形状の底面部２１ｂを有している。底面部２１ｂは、容器本体２内の圧力変化に伴って弾性変形可能となっている。これにより、圧力調整部２０では、容器本体２内の圧力を調整することが可能となっている。
【００２５】
蓋付き容器１は、栓体２３を有している。栓体２３は、例えばシリコーンゴム等の耐熱性を有するゴムやエラストマーなどの弾性体からなる。栓体２３は、内蓋３の底面部３ａの中央部に設けられた円形の中心孔２４に嵌合した状態で取り付けられている。また、栓体２３の中央部には、空気孔２５が貫通して設けられている。
【００２６】
外蓋４は、内筒部４ｃの下面中央部から突出した略円柱状の突起部２６を有している。外蓋４は、容器本体２に装着されたときに、内筒部４ｃが内蓋３の内側に進入した状態で内蓋３と当接されることによって、この内蓋３の上方側への移動を規制する。これにより、蓋付き容器１では、止水パッキン９による容器本体２と内蓋３との間の密閉性を保持することが可能となっている。
【００２７】
また、蓋付き容器１では、外蓋４が容器本体２に装着された際に、当接部である突起部２６が栓体２３の上面と当接されることによって、空気孔２５を閉塞する。一方、蓋付き容器１では、外蓋４を容器本体２から取り外す際に、栓体２３に対する突起部２６の当接が解除されることによって、空気孔２５が開放された状態となる。これにより、容器本体２内の圧力が低下した（負圧となった）場合でも、外蓋４を容器本体２から取り外した際には、空気孔２５を通して容器本体２内の圧力が大気圧と同じとなる。したがって、内蓋３が容器本体２の内側に引っ張られることなく、内蓋３を容器本体２から容易に取り外すことが可能である。
【００２８】
ここで、弁体２１と栓体２３とは、同じ弾性体である弾性部材３０によって一体に形成された構成を有している。また、弾性部材３０は、栓体２３の上端部から拡径方向に突出したフランジ部２７と、弁体２１の上端部とフランジ部２７との間を連結する連結部２８と、フランジ部２７の連結部２８とは反対側から延長された摘み片２９とを有している。弾性部材３０は、摘み片２９を引っ張ることで、内蓋３から取り外すことも可能である。これにより、内蓋３と弾性部材３０とをそれぞれ別々に洗浄することができ、内蓋３と弾性部材３０との間を衛生的に保つことができる。
【００２９】
以上のような構成を有する蓋付き容器１では、容器本体２内の圧力が上昇した（陽圧となった）ときに、弁体２１が弾性変形することで、容器本体２内の圧力上昇を緩和することができる。また、容器本体２内の圧力が更に上昇した場合には、取付孔２２から弁体２１が外れることによって、取付孔２２を通して容器本体２内の圧力を開放することができる。
【００３０】
したがって、本実施形態の蓋付き容器１では、容器本体２内の圧力上昇により内蓋３が外蓋４に押し付けられた状態となることを防ぐことができる。その結果、容器本体２（雄ネジ部１１）と外蓋４（雌ネジ部１０）との間で螺合による締結力が増すことによって、外蓋４を取り外す方向に回しづらくなることや、外蓋４を取り外した際に内蓋３が上方側に飛び出すといったことを未然に防ぐことが可能である。
【００３１】
なお、容器本体２内の圧力が上昇する（陽圧となる）場合としては、例えば、容器本体２の内部に高温の内容物を入れたときや、容器本体２内の内容物が腐敗してガスが発生したときなどを挙げることができる。
【００３２】
また、蓋付き容器１では、容器本体２内の圧力が低下した（負圧となった）場合にも、弁体２１が弾性変形することから、容器本体内の圧力低下を緩和することも可能である。容器本体２内の圧力が低下する（負圧となる）場合としては、例えば、容器本体２の内部に高温の内容物を入れた後に、その内容物が冷めたときなどを挙げることができる。
【００３３】
以上のように、本発明によれば、容器本体２内の圧力が上昇した場合や容器本体２内の圧力が低下した場合でも、内蓋３及び外蓋４を容易に且つ安全に取り外すことができる蓋付き容器１を提供することが可能である。
【００３４】
なお、本発明は、上記蓋付き容器１の構成に必ずしも限定されるものではなく、本発明の趣旨を逸脱しない範囲において種々の変更を加えることが可能である。
例えば、本発明を適用した蓋付き容器では、複数の圧力調整部が設けられた構成としてもよい。具体的には、内蓋の底面部に設けられた複数の取付孔にそれぞれ弁体を着脱自在に取り付けた構成とすることも可能である。
【００３５】
また、本発明を適用した蓋付き容器は、上述した空気孔が設けられた栓体に当接されることによって、この空気孔を閉塞する当接部が外蓋の底面中央部に設けられた構成に限らず、例えば、内蓋の底面中央部に空気孔が設けられ、この空気孔を閉塞する弾性部材が外蓋の底面中央部に取り付けられた構成とすることも可能である。
【００３６】
また、本発明は、真空断熱構造を有する容器本体によって保温・保冷機能を持たせた蓋付き容器に好適に適用できるが、上述した圧力調整部を設けることが可能な蓋付き容器に対して本発明を幅広く適用することが可能である。
【符号の説明】
【００３７】
１…蓋付き容器  ２…容器本体  ２ａ…開口部  ３…内蓋  ４…外蓋  ９…止水パッキン（シール部材）  ２０…圧力調整部  ２１…弁体  ２２…取付孔  ２３…栓体  ２４…中心孔  ２５…空気孔  ２６…突起部（当接部）  ３０…弾性部材
【図１】
0006372032.tif 000002
【図２】
0006372032.tif 000003
【図３】
0006372032.tif 000004